(57)【要約】      （修正有）【課題】直射光を遮りつつ、室内に取り込まれる光量を増大させることが可能な電動ブラインドシステムを提供する。【解決手段】電動横型ブラインド１と制御部２０を備える電動ブラインドシステム１０であって、電動横型ブラインドは、離間した複数枚のスラットを有する上部スラット群と、下部スラット群を備え、制御部は、自動切り替え可能な複数の動作モードで上部及び下部のスラット群の傾斜角度を制御可能に構成され、動作モードは、低高度モードと高高度モードを含み、低高度モード及び高高度モードでは、下部スラット群は、直射光を遮る角度になるように制御され、低高度モードでは、上部スラット群は、水平より部屋外側に向け傾斜させ、かつ、下部スラット群より水平方向に開いている角度に制御され、高高度モードでは、上部スラット群は、低高度モードの上部スラット群よりも傾斜角度が小さく、かつ、反射光が水平よりも上向きになるように制御される。【選択図】図１
2020066837.tif 000002
【特許請求の範囲】
【請求項１】
電動横型ブラインドと制御部を備える電動ブラインドシステムであって、
前記電動横型ブラインドは、上部スラット群と、下部スラット群を備え、
前記上部スラット群と前記下部スラット群は、それぞれ、複数枚のスラットが上下方向に離間されて構成され、
前記下部スラット群は、前記上部スラット群よりも下側に配置され、
前記制御部は、自動切り替え可能な複数の動作モードで前記上部スラット群及び前記下部スラット群の傾斜角度を制御可能に構成され、
前記動作モードは、低高度モードと高高度モードを含み、
前記低高度モード及び前記高高度モードでは、前記下部スラット群は、直射光を遮る角度になるように制御され、
前記低高度モードでは、前記上部スラット群は、水平より部屋外側に向け傾斜させ、かつ、前記下部スラット群より水平方向に開いている角度に制御され、
前記高高度モードでは、前記上部スラット群は、前記低高度モードの前記上部スラット群よりも傾斜角度が小さく、かつ、反射光が水平よりも上向きになるように制御される、電動ブラインドシステム。
【請求項２】
電動横型ブラインドと制御部を備える電動ブラインドシステムであって、
前記電動横型ブラインドは、上部スラット群と、下部スラット群を備え、
前記上部スラット群と前記下部スラット群は、それぞれ、複数枚のスラットが上下方向に離間されて構成され、
前記下部スラット群は、前記上部スラット群よりも下側に配置され、
前記制御部は、自動切り替え可能な複数の動作モードで前記上部スラット群及び前記下部スラット群の傾斜角度を制御可能に構成され、
前記動作モードは、低高度モードと高高度モードを含み、
前記低高度モード及び前記高高度モードでは、前記下部スラット群は、直射光を遮る角度になるように制御され、
前記低高度モードでは、前記上部スラット群は、直射光を遮る角度になるように制御され、
前記高高度モードでは、前記上部スラット群は、前記低高度モードの前記上部スラット群よりも傾斜角度が小さく、かつ、反射光が水平よりも上向きになるように制御される、電動ブラインドシステム。
【請求項３】
請求項１又は請求項２に記載の電動ブラインドシステムであって、
前記高高度モードでは、前記上部スラット群は、水平になるように制御される、電動ブラインドシステム。
【請求項４】
請求項１〜請求項３の何れか１つに記載の電動ブラインドシステムであって、
前記動作モードは、通常モードを含み、
前記通常モードでは、前記上部スラット群及び前記下部スラット群、又は全スラット群は、室内の照明光が外部に漏れることを遮る角度に制御される、電動ブラインドシステム。
【請求項５】
請求項１〜請求項４の何れか１つに記載の電動ブラインドシステムであって、
前記複数の動作モードは、タイマーで切り替え可能に構成される、電動ブラインドシステム。
【請求項６】
請求項１〜請求項５の何れか１つに記載の電動ブラインドシステムであって、
前記低高度モードでの前記上部スラット群の傾斜角度は、前記直射光を遮り且つ最大限水平方向に開いた角度αに対するかぶせ角βが０〜２０度となる角度である、電動ブラインドシステム。
【請求項７】
請求項６に記載の電動ブラインドシステムであって、
前記制御部は、前記太陽高度に応じて、前記低高度モードでの前記上部スラット群の傾斜角度を自動で変化させて、前記角度αに対するかぶせ角βが０〜２０度である状態が維持される、電動ブラインドシステム。
【請求項８】
請求項６又は請求項７に記載の電動ブラインドシステムであって、
前記低高度モードでの前記下部スラット群の傾斜角度は、前記上部スラット群の傾斜角度よりも大きい、電動ブラインドシステム。
【請求項９】
請求項１〜請求項８の何れか１つに記載の電動ブラインドシステムであって、
前記制御部は、中央制御装置に設けられた中央制御部と、前記電動横型ブラインドに内蔵されたブラインド制御部を備え、
前記中央制御部は、前記ブラインド制御部と通信可能に構成されており、
前記中央制御部は、前記ブラインド制御部に対してスラット制御情報を送信し、
前記スラット制御情報は、太陽高度、又はこれに基づいて得られる情報であり、
前記ブラインド制御部は、前記スラット制御情報に基づいて、前記上部スラット群及び下部スラット群の傾斜角度の制御を行う、電動ブラインドシステム。
【請求項１０】
請求項９に記載の電動ブラインドシステムであって、
前記中央制御部は、前記太陽高度に基づいて前記上部スラット群及び前記下部スラット群の傾斜角度を算出し、
前記スラット制御情報は、前記上部スラット群及び前記下部スラット群の傾斜角度を含む、電動ブラインドシステム。
【請求項１１】
上部スラット群と、下部スラット群と、昇降モーターと、吊り上げモーターを備える電動横型ブラインドであって、
前記上部スラット群と前記下部スラット群は、それぞれ、複数枚のスラットが上下方向に離間されて構成され、
前記下部スラット群は、前記上部スラット群よりも下側に配置され、
前記昇降モーターの回転に伴って前記上部スラット群及び前記下部スラット群の傾斜角度が変更されるように構成され、
前記吊り上げモーターの回転に伴って前記下部スラット群の傾斜角度が変更されるように構成され、
前記昇降モーター及び前記吊り上げモーターは、それぞれ、回転角度が制御されている、電動横型ブラインド。
【請求項１２】
請求項１１に記載の電動横型ブラインドであって、
前記吊り上げモーターは、前記回転角度の制御が可能なステッピングモーターである、電動横型ブラインド。
【請求項１３】
請求項１１又は請求項１２に記載の電動横型ブラインドであって、
前記昇降モーターの回転角度を監視するエンコーダを備え、
前記昇降モーターは、前記エンコーダの出力をフィードバックさせることによって前記回転角度が制御されている、電動横型ブラインド。
【発明の詳細な説明】
【技術分野】
【０００１】
本発明は、電動横型ブラインドと制御部を備える電動ブラインドシステム、及びこれに好適に用いられる電動横型ブラインドに関する。
【背景技術】
【０００２】
特許文献１の電動横型ブラインドにおいては、スラットの部屋内側端近傍に光センサを設け、この光センサの出力に基づいて、直接光が室内に入り込むことを防ぎつつ間接光を室内に最大限取り込むようにスラットの角度の制御が行われている。
【先行技術文献】
【特許文献】
【０００３】
【特許文献１】特開平４−３６３４９７号公報
【特許文献２】実開昭６０−２２６９５号公報
【発明の概要】
【発明が解決しようとする課題】
【０００４】
特許文献１の構成では、特に、太陽の高度が低いときに、室内に取り込まれる光量が著しく低下してしまう。
【０００５】
本発明はこのような事情に鑑みてなされたものであり、直射光を遮りつつ、室内に取り込まれる光量を増大させることが可能な電動ブラインドシステムを提供するものである。
【課題を解決するための手段】
【０００６】
本発明によれば、電動横型ブラインドと制御部を備える電動ブラインドシステムであって、前記電動横型ブラインドは、上部スラット群と、下部スラット群を備え、前記上部スラット群と前記下部スラット群は、それぞれ、複数枚のスラットが上下方向に離間されて構成され、前記下部スラット群は、前記上部スラット群よりも下側に配置され、前記制御部は、自動切り替え可能な複数の動作モードで前記上部スラット群及び前記下部スラット群の傾斜角度を制御可能に構成され、前記動作モードは、低高度モードと高高度モードを含み、前記低高度モード及び前記高高度モードでは、前記下部スラット群は、直射光を遮る角度になるように制御され、前記低高度モードでは、前記上部スラット群は、水平より部屋外側に向け傾斜させ、かつ、前記下部スラット群より水平方向に開いている角度に制御され、前記高高度モードでは、前記上部スラット群は、前記低高度モードの前記上部スラット群よりも傾斜角度が小さく、かつ、反射光が水平よりも上向きになるように制御される、電動ブラインドシステムが提供される。
【０００７】
本発明では、太陽高度に応じて異なる動作モードで上部スラット群と下部スラット群の角度を制御しているので、直射光を遮りつつ、室内に取り込まれる光量を増大させることができる。
【０００８】
以下、本発明の種々の実施形態を例示する。以下に示す種々の実施形態は、互いに組み合わせ可能である。
好ましくは、電動横型ブラインドと制御部を備える電動ブラインドシステムであって、前記電動横型ブラインドは、上部スラット群と、下部スラット群を備え、前記上部スラット群と前記下部スラット群は、それぞれ、複数枚のスラットが上下方向に離間されて構成され、前記下部スラット群は、前記上部スラット群よりも下側に配置され、前記制御部は、自動切り替え可能な複数の動作モードで前記上部スラット群及び前記下部スラット群の傾斜角度を制御可能に構成され、前記動作モードは、低高度モードと高高度モードを含み、前記低高度モード及び前記高高度モードでは、前記下部スラット群は、直射光を遮る角度になるように制御され、前記低高度モードでは、前記上部スラット群は、直射光を遮る角度になるように制御され、前記高高度モードでは、前記上部スラット群は、前記低高度モードの前記上部スラット群よりも傾斜角度が小さく、かつ、反射光が水平よりも上向きになるように制御される、電動ブラインドシステムである。
【０００９】
好ましくは、前記記載の電動ブラインドシステムであって、前記高高度モードでは、前記上部スラット群は、水平になるように制御される、電動ブラインドシステムである。
好ましくは、前記記載の電動ブラインドシステムであって、前記動作モードは、通常モードを含み、前記通常モードでは、前記上部スラット群及び前記下部スラット群、又は全スラット群は、室内の照明光が外部に漏れることを遮る角度に制御される、電動ブラインドシステムである。
好ましくは、前記記載の電動ブラインドシステムであって、前記複数の動作モードは、タイマーで切り替え可能に構成される、電動ブラインドシステムである。
好ましくは、前記記載の電動ブラインドシステムであって、前記低高度モードでの前記上部スラット群の傾斜角度は、前記直射光を遮り且つ最大限水平方向に開いた角度αに対するかぶせ角βが０〜２０度となる角度である、電動ブラインドシステムである。
好ましくは、前記記載の電動ブラインドシステムであって、前記制御部は、前記太陽高度に応じて、前記低高度モードでの前記上部スラット群の傾斜角度を自動で変化させて、前記角度αに対するかぶせ角βが０〜２０度である状態が維持される、電動ブラインドシステムである。
好ましくは、前記記載の電動ブラインドシステムであって、前記低高度モードでの前記下部スラット群の傾斜角度は、前記上部スラット群の傾斜角度よりも大きい、電動ブラインドシステムである。
好ましくは、前記記載の電動ブラインドシステムであって、前記制御部は、中央制御装置に設けられた中央制御部と、前記電動横型ブラインドに内蔵されたブラインド制御部を備え、前記中央制御部は、前記ブラインド制御部と通信可能に構成されており、前記中央制御部は、前記ブラインド制御部に対してスラット制御情報を送信し、前記スラット制御情報は、太陽高度、又はこれに基づいて得られる情報であり、前記ブラインド制御部は、前記スラット制御情報に基づいて、前記上部スラット群及び下部スラット群の傾斜角度の制御を行う、電動ブラインドシステムである。
好ましくは、前記記載の電動ブラインドシステムであって、前記中央制御部は、前記太陽高度に基づいて前記上部スラット群及び前記下部スラット群の傾斜角度を算出し、前記スラット制御情報は、前記上部スラット群及び前記下部スラット群の傾斜角度を含む、電動ブラインドシステムである。
【００１０】
好ましくは、上部スラット群と、下部スラット群と、昇降モーターと、吊り上げモーターを備える電動横型ブラインドであって、前記上部スラット群と前記下部スラット群は、それぞれ、複数枚のスラットが上下方向に離間されて構成され、前記下部スラット群は、前記上部スラット群よりも下側に配置され、前記昇降モーターの回転に伴って前記上部スラット群及び前記下部スラット群の傾斜角度が変更されるように構成され、前記吊り上げモーターの回転に伴って前記下部スラット群の傾斜角度が変更されるように構成され、前記昇降モーター及び前記吊り上げモーターは、それぞれ、回転角度が制御されている、電動横型ブラインドである。
好ましくは、前記記載の電動横型ブラインドであって、前記吊り上げモーターは、前記回転角度の制御が可能なステッピングモーターである、電動横型ブラインドである。
好ましくは、前記記載の電動横型ブラインドであって、前記昇降モーターの回転角度を監視するエンコーダを備え、前記昇降モーターは、前記エンコーダの出力をフィードバックさせることによって前記回転角度が制御されている、電動横型ブラインドである。
【図面の簡単な説明】
【００１１】
【図１】本発明の第１実施形態の電動ブラインドシステム１０の概要図である。
【図２】電動横型ブラインド１の正面図である。
【図３】図２から要部を抜き出して模式的に表示した左側面図である。
【図４】電動ブラインドシステム１０の動作を示すフローチャートである。
【図５】低高度モードでの上部スラット群７ａと下部スラット群７ｂの傾斜の状態を示す、図３に対応する左側面図である。
【図６】図６Ａは、角度αを示す左側面図であり、図６Ｂは、かぶせ角βを示す左側面図である。
【図７】高高度モードでの上部スラット群７ａと下部スラット群７ｂの傾斜の状態を示す、図３に対応する左側面図である。
【図８】太陽光Ｓの反射光Ｒが水平面Ｈよりも上向きになる状態を示す左側面図である。
【図９】通常モードでの上部スラット群７ａと下部スラット群７ｂの傾斜の状態を示す、図３に対応する左側面図である。
【図１０】図１０Ａは、実施例１の電動横型ブラインドの構成を示す。図１０Ｂは、比較例１のグラデーションブラインドの構成を示す。
【発明を実施するための形態】
【００１２】
以下、図面を用いて、本発明の種々の実施形態を説明する。以下に示す種々の実施形態は、互いに組み合わせ可能である。
【００１３】
１．第１実施形態
本発明の第１実施形態の電動ブラインドシステム１０について説明する。
【００１４】
１−１．全体構成
図１に示すように、電動ブラインドシステム１０は、電動横型ブラインド１と、中央制御装置２を備える。中央制御装置２には、中央制御部２ａが設けられている。
【００１５】
図２〜図３に示すように、電動横型ブラインド１は、ヘッドボックス３と、ラダーコード５と、吊り上げコード６と、上部スラット群７ａと、下部スラット群７ｂと、ボトムレール９と、昇降テープ１１を備える。ラダーコード５は、一対の縦糸５ａの間に複数の横糸５ｂを備える。各横糸５ｂには、スラット７が支持されている。上部スラット群７ａと下部スラット群７ｂは、それぞれ、複数枚のスラット７が上下方向に離間されて構成される。下部スラット群７ｂは、上部スラット群７ａよりも下側に配置される。図２〜図３では、上部スラット群７ａのスラット７は水平状態になっており、下部スラット群７ｂのスラット７は、全閉状態になっている。
【００１６】
上部スラット群７ａと下部スラット群７ｂの合計に対する下部スラット群７ｂの割合は、５０〜８０％が好ましい。この割合は、具体的には例えば、５０、５５、６０、６５、７０、７５、８０％であり、ここで例示した数値の何れか２つの間の範囲内であってもよい。上部スラット群７ａは、下部スラット群７ｂよりも太陽光を積極的に室内に取り込むべく、傾斜角度が小さくなるように制御されるので、上記割合が小さすぎると、室内にいるユーザーが太陽光による眩しさを感じやすくなり、上記割合が大きすぎると、太陽光の取り込みが不十分となり省エネ性が低下する。
【００１７】
図１〜図３に示すように、ヘッドボックス３内には、昇降モーター１２と、昇降軸１３と、昇降プーリー（不図示）と、ケース１４と、吊り上げモーター１５と、吊り上げ軸１６と、吊り上げプーリー１７と、チルトドラム１８と、エンコーダ１９と、ブラインド制御部２０を備える。ケース１４内には、昇降プーリー、吊り上げプーリー１７、及びチルトドラム１８が配置されている。ブラインド制御部２０は、昇降モーター１２及び吊り上げモーター１５の回転を制御可能に構成されている。ブラインド制御部２０には、通信端子２１が連結されており、通信端子２１を通じて、ブラインド制御部２０と中央制御部２ａが通信可能になっている。本実施形態では、ブラインド制御部２０と中央制御部２ａによって、特許請求の範囲の「制御部」が構成されており、自動切り替え可能な複数の動作モードで上部スラット群７ａ及び下部スラット群７ｂの傾斜角度を制御可能に構成されている。「制御部」は、ブラインド制御部２０と中央制御部２ａの一方によって構成してもよい。つまり、電動横型ブラインド１が中央制御装置２から制御されない自立型の装置であってもよく、中央制御部２ａがブラインド制御部２０の機能も担うように構成してもよい。
【００１８】
なお、本明細書において、上部スラット群７ａに含まれる複数のスラット７の傾斜角度の平均値を「上部スラット群７ａの傾斜角度」と称する。下部スラット群７ｂに含まれる複数のスラット７の傾斜角度の平均値を「下部スラット群７ｂの傾斜角度」と称する。通常は、上部スラット群７ａ又は下部スラット群７ｂに含まれる複数のスラット７の傾斜角度は、全て等しいので、上部スラット群７ａ又は下部スラット群７ｂに含まれる各スラット７の傾斜角度と上部スラット群７ａ又は下部スラット群７ｂの傾斜角度は、等しい。また、傾斜角度とは、水平面Ｈ（図６Ａに図示）に対する角度であり、スラット７の部屋外側が低くなるようにスラット７が傾斜したときの傾斜角度を正の値、スラット７の部屋内側が低くなるようにスラット７が傾斜したときの傾斜角度を負の値で表す。
【００１９】
昇降モーター１２の回転に伴って昇降軸１３が回転する。昇降軸１３の回転に伴って昇降プーリー及びチルトドラム１８が回転する。昇降軸１３の回転角度は、エンコーダ１９によって監視されている。昇降モーター１２は、エンコーダ１９の出力をフィードバックさせることによって回転角度が制御されている。吊り上げモーター１５の回転に伴って吊り上げ軸１６が回転する。吊り上げ軸１６の回転に伴って吊り上げプーリー１７が回転する。吊り上げモーター１５は、ステッピングモーターであり、回転角度を高精度に制御することが可能である。
【００２０】
ラダーコード５は、一対の縦糸５ａの上端が連結されて、チルトドラム１８に掛装されている。ラダーコード５とチルトドラム１８の間の摩擦によって、チルトドラム１８の回転に伴ってラダーコード５も回転して、スラット７の傾斜角度が変化する。ラダーコード５は、スラット７が略垂直になるまでチルトドラム１８の回転に伴って回転し、その後は、チルトドラム１８は、ラダーコード５に対して空回りする。ラダーコード５の下端は、ボトムレール９に連結されている。このような構成によれば、昇降モーター１２の回転に伴って上部スラット群７ａ及び下部スラット群７ｂ（つまり、全スラット群）の傾斜角度が変更される。
【００２１】
吊り上げコード６の上端は、吊り上げプーリー１７に連結されている。吊り上げプーリー１７の回転に伴って吊り上げコード６が吊り上げプーリー１７に巻き取り又は巻き戻しされる。吊り上げコード６の下端は、ヘッドボックス３とボトムレール９の間の連結部Ｐにおいて、ラダーコード５の縦糸に連結されている。連結部Ｐよりも上側及び下側がそれぞれ上部スラット群７ａ及び下部スラット群７ｂとなる。
【００２２】
吊り上げコード６を巻き取り又は巻き戻すと、吊り上げコード６が連結されている縦糸５ａが上昇又は下降し、これによって、下部スラット群７ｂの傾斜角度が変化する。つまり、吊り上げモーター１５の回転に伴って下部スラット群７ｂの傾斜角度が変更される。従って、吊り上げコード６を用いることによって、上部スラット群７ａと下部スラット群７ｂの傾斜角度を独立して変更することが可能になっている。
【００２３】
昇降テープ１１の上端は、昇降プーリーに連結されている。昇降プーリーの回転に伴って昇降テープ１１が昇降プーリーに巻き取り又は巻き戻しされる。昇降テープ１１の下端は、ボトムレール９に連結されている。昇降テープ１１を巻き取り又は巻き戻すと、ボトムレール９が上昇又は下降し、ボトムレール９と共に、スラット７も上昇又は下降する。
【００２４】
１−２．動作
以下、図４のフローチャートを用いて、電動ブラインドシステム１０の動作について説明する。以下の説明中の中央制御部２ａとブラインド制御部２０は、適宜、特許請求の範囲の「制御部」と読み替えることができる。
【００２５】
＜太陽高度の決定＞
ステップＳ１では、中央制御部２ａが太陽高度を決定する。太陽高度の決定方法は、限定されず、実測、計算、データ呼出等の何れの方法によって決定してもよい。実測の場合は、例えば、天空画像を撮影し、その天空画像内での太陽位置から太陽高度を決定したり、光センサを設けたスラット７を回動させたときの光センサの出力値に基づいて太陽高度を決定したりすることができる。計算の場合、例えば、緯度、軽度、日時等に基づいて計算によって太陽高度を算出することができる。データ呼出の場合、例えば、日時と太陽高度との関係を格納したテーブルを予め準備しておき、日時をキーにして太陽高度を呼び出すことができる。
【００２６】
＜動作モードの決定＞
ステップＳ２では、中央制御部２ａが太陽高度に基づいて動作モードを決定する。動作モードには、低高度モードと、高高度モードと、通常モードが含まれる。低高度モードは、太陽高度が基準値未満であるときの動作モードである。高高度モードは、太陽高度が基準値以上であるときの動作モードである。基準値は、スラット７の幅及び上下方向に隣接するスラット７間の距離などに基づいて適宜設定され、例えば４５度である。通常モードは、夜間などの外光の遮光が不要である場合に用いられるモードである。
【００２７】
動作モードは、太陽高度のみから決定してもよく、太陽高度と別の因子（例：日時、タイマー）に基づいて決定してもよい。太陽高度及び日時に基づく動作モードの決定では、例えば、日時に基づいて日の出及び日の入り時刻を取得し、日の出及び日の入り時刻の間の夜間は、通常モードとし、それ以外の時間は、太陽高度に基づいて低高度モード又は高高度モードとすることができる。太陽高度及びタイマーに基づく動作モードの決定では、例えば、太陽高度が最高となる時刻から、タイマーで設定した時間（例えば４時間）が経過すると、動作モードを低高度モードに変更し、別のタイマーで設定した時間（例えば２時間）がさらに経過すると、動作モードを通常モードに変更することができる。このように、複数の動作モードは、太陽高度、又は太陽高度と別の因子に基づいて自動で切り替え可能になっている。
【００２８】
動作モードは、自動で切り替わるように構成されているが、手動で動作モードを切り替えることが可能な手動切替モードを設けてもよい。
【００２９】
＜スラット傾斜角度の決定＞
ステップＳ３では、中央制御部２ａがスラット傾斜角度（つまり、上部スラット群７ａ及び下部スラット群７ｂの傾斜角度）を決定する。スラット傾斜角度は、動作モードごとに、以下のように決定することができる。
【００３０】
・低高度モード
図５に示すように、低高度モードでは、下部スラット群７ｂは、直射光を遮る角度になるように制御され、上部スラット群７ａは、水平より部屋外側に向け傾斜させ、かつ、下部スラット群７ｂより水平方向に開いている角度に制御される。低高度モードでの上部スラット群７ａの傾斜角度は、好ましくは、直射光を遮り且つ最大限水平方向に開いた角度αに対するかぶせ角βが０〜２０度となる角度である。図６Ａに示すように、角度αは、スラット７の室外側の縁を通過した太陽光Ｓがその１つ下のスラット７の室内側の縁を通過するときのスラット７の傾斜角度である。
【００３１】
角度αは、スラット７の幅、上下方向に隣接するスラット７間の距離、及び太陽高度に基づいて算出することができる。また、太陽高度と角度αの関係を格納したテーブルを予め準備しておき、太陽高度をキーにして角度αを呼び出してもよい。角度αは、例えば１〜４５度であり、具体的には例えば、１、５、１０、１５、２０、２５、３０、３５、４０、４５度であり、ここで例示した数値の何れか２つの間の範囲内であってもよい。図６Ｂに示すように、かぶせ角βは、直射光をより確実に遮蔽するために設けられるものであり、具体的には例えば、０、１、５、１０、１５、２０度であり、ここで例示した数値の何れか２つの間の範囲内であってもよい。このように制御することによって、上部スラット群７ａにおいて直射光を遮りつつ、太陽光を室内に最大限取り込むことができる。
【００３２】
上部スラット群７ａの傾斜角度では、直射光は遮られるものの、スラット７の上面で反射した反射光は室内に取り込まれる。下部スラット群７ｂの傾斜角度が上部スラット群７ａと同じであれば、上記反射光が室内にユーザーの目に入って、ユーザーが眩しさを感じてしまう場合がある。そこで、下部スラット群７ｂの傾斜角度を上部スラット群７ａの傾斜角度よりも大きくすることが好ましく、下部スラット群７ｂを全閉状態にすることがさらに好ましい。下部スラット群７ｂの傾斜角度は、例えば４５〜９０度であり、好ましくは、７０〜９０度であり、具体的には例えば、４５、５０、５５、６０、６５、７０、７５、８０、８５、９０度であり、ここで例示した数値の何れか２つの間の範囲内であってもよい。全閉状態では、傾斜角度が約９０度となる。
【００３３】
ところで、特許文献２に開示されているようなグラデーションブラインドでは、高い位置にあるスラットほど傾斜角度が大きくなるように構成されている。このようなブラインドでは、室内にユーザーが眩しさを感じることを防ぎつつ、外光を多く取り込むことが可能になっている。一方、傾斜角度の変化が大きくすぎると、スラットを逆全閉状態にしたときに、低い位置にあるスラット間の隙間ができてしまって室内からの光漏れが多くなってしまうという問題がある。そのため、傾斜角度の変化は非常にゆるやかなものにせざるを得ないので、外光の取り込みも限定的になる。一方、本実施形態では、上部スラット群７ａと下部スラット群７ｂの傾斜角度を独立して制御できるので、上部スラット群７ａ及び下部スラット群７ｂの傾斜角度を上述したように設定することができ、これによって、室内からの光漏れの問題を生じさせることなく、グラデーションブラインドよりも多くの外光を取り込むことが可能になっている。
【００３４】
・高高度モード
図３及び図７〜図８に示すように、高高度モードでは、下部スラット群７ｂは、直射光を遮る角度になるように制御され、上部スラット群７ａは、低高度モードの上部スラット群７ａよりも傾斜角度が小さく、かつ、図８に示すように太陽光Ｓの反射光Ｒが水平面Ｈよりも上向きになるように制御される。上部スラット群７ａは、傾斜角度が０度（水平。図３）、又は負の値（部屋内側が低くなるように傾斜。図７〜図８）であることが好ましい。下部スラット群７ｂは、直射光を遮る角度になるように制御される。高高度モードでは、太陽高度が高いので、直射光が室内に入り込みにくい。このため、上部スラット群７ａを上記のように制御することによって、外部の間接光（散乱光）を最大限室内に取り込むことを可能にしている。上部スラット群７ａを水平にすると、眺望が特に良好になる。図７〜図８に示すように、上部スラット群７ａの部屋内側が低くなるように上部スラット群７ａを傾斜させると、外部の間接光が部屋の奥まで届くようになって採光性が特に良好になる。下部スラット群７ｂは、低高度モードと同様に制御される。
【００３５】
・通常モード
図９に示すように、通常モードでは、上部スラット群７ａ及び下部スラット群７ｂ、又は全スラット群７ａ，７ｂは、室内の照明光が外部に漏れることを遮る角度に（好ましくは、逆全閉状態に）制御される。上部スラット群７ａ及び下部スラット群７ｂの傾斜角度は、例えば−４５〜−９０度であり、好ましくは、−７０〜９０度であり、具体的には例えば、−４５、−５０、−５５、−６０、−６５、−７０、−７５、−８０、−８５、−９０度であり、ここで例示した数値の何れか２つの間の範囲内であってもよい。逆全閉状態では、傾斜角度が約−９０度となる。
【００３６】
＜スラット制御情報の送信＞
ステップＳ４では、中央制御部２ａがブラインド制御部２０に対してスラット制御情報を送信する。スラット制御情報とは、太陽高度、又はこれに基づいて得られる情報であり、別の表現では、ブラインド制御部２０が上部スラット群７ａ及び下部スラット群７ｂの傾斜角度を制御するために利用可能な情報である。本実施形態では、中央制御部２ａが太陽高度に基づいて上部スラット群７ａ及び下部スラット群７ｂの傾斜角度を算出し、スラット制御情報は、上部スラット群７ａ及び下部スラット群７ｂの傾斜角度を含む。
【００３７】
＜傾斜角度の制御＞
ステップＳ５では、ブラインド制御部２０は、スラット制御情報に基づいて、上部スラット群７ａ及び下部スラット群７ｂの傾斜角度の制御を行う。ブラインド制御部２０は、昇降モーター１２及び吊り上げモーター１５を回転させることによって、上部スラット群７ａ及び下部スラット群７ｂの傾斜角度をスラット制御情報で指定された傾斜角度に一致させる。
【００３８】
＜インターバル時間の経過確認＞
ステップＳ６では、所定のインターバル時間が経過したかどうかの確認が行われる。インターバル時間が経過するまでは、ステップＳ６が繰り返される。インターバル時間が経過すると、ステップＳ１に戻り、ステップＳ１〜Ｓ５が繰り返される。なお、ステップＳ６は省略可能である。その場合、ステップＳ５の後に直ちにステップＳ１〜Ｓ５が行われることになる。そうすると、昇降モーター１２及び吊り上げモーター１５のＯＮ／ＯＦＦが非常に多くなり、静音性及び省エネ性が不十分になる。
【００３９】
インターバル時間は、常に一定であってもよく、例えば、動作モードごとに異なるようにしてもよい。例えば、低高度モードでは、太陽高度の変化速度が大きいので、低高度モードでのインターバル時間は、通常モード又は高高度モードよりも短いことが好ましい。
【００４０】
２．その他実施形態
・上記実施形態では、吊り上げプーリー１７とチルトドラム１８の回転によって、上部スラット群７ａ及び下部スラット群７ｂの傾斜角度を独立して変化させているが、別の機構によって、上部スラット群７ａ及び下部スラット群７ｂの傾斜角度を独立して変化させるようにしてもよい。例えば、上部スラット群７ａ及び下部スラット群７ｂを、それぞれ、第１及び第２チルトドラムに掛装された第１及び第２ラダーコードに支持させ、第１及び第２チルトドラムを独立して回転させることによって、上部スラット群７ａ及び下部スラット群７ｂの傾斜角度を独立して変化させてもよい。
・上記実施形態では、スラット制御情報として、上部スラット群７ａ及び下部スラット群７ｂの傾斜角度を中央制御部２ａがブラインド制御部２０に対して送信しているが、例えば、中央制御部２ａは、スラット制御情報として、太陽高度をブラインド制御部２０に送信し、ブラインド制御部２０が太陽高度に基づいて動作モードや上部スラット群７ａ及び下部スラット群７ｂの傾斜角度を決定するようにしてもよい。
・昇降テープ１１の代わりに、コード状の昇降コードを用いてスラットを昇降させてもよい。
・低高度モードにおいて、上部スラット群７ａは、直射光を遮る角度になるように制御してもよい。この場合、上記実施形態に比べて採光量が低下するので、例えば、採光よりも冷房効率を重視したいときは、このような制御を行うことが好ましい。
【実施例】
【００４１】
以下に示す条件で、電動横型ブラインドとグラデーションブラインドについて、日射透過率の比較を行った。
【００４２】
＜実施例１＞
以下に示す条件で、図１０Ａに示す電動横型ブラインドについて、日射透過率のシミュレーションを行った。シミュレーションによって得られた日射透過率は、２８．２％であった。
【００４３】
（条件）
・スラット色  マッドアイボリー（単体反射率：７０％）
・太陽高度４５度
・ブラインド状態：下限から２ｍの範囲正全閉状態
・最上段のスラットから１ｍの範囲の日射透過率を算出
・製品下限から２ｍの範囲は正全閉状態
【００４４】
＜比較例１＞
比較例１では、図１０Ｂに示すグラデーションブラインドを用いた以外は、実施例１と同様の条件で、日射透過率のシミュレーションを行った。グラデーションブラインドとしては、製品下限から２ｍの範囲を正全閉状態としたときに、最上段のスラットの角度が３５度となるものを用いた。シミュレーションによって得られた日射透過率は、１０．０％であった。
【００４５】
＜考察＞
実施例１と比較例１の比較によって、グラデーションブラインドを用いるよりも、上部スラット群と下部スラット群の傾斜角度を独立制御できる電動横型ブラインドを用い、上部スラット群のスラットの傾斜角度を小さくすることが、採光には有利であることが分かった。
【符号の説明】
【００４６】
１    ：電動横型ブラインド
２    ：中央制御装置
２ａ  ：中央制御部
３    ：ヘッドボックス
５    ：ラダーコード
６    ：吊り上げコード
７    ：スラット
７ａ  ：上部スラット群
７ｂ  ：下部スラット群
９    ：ボトムレール
１０  ：電動ブラインドシステム
１１  ：昇降テープ
１２  ：昇降モーター
１３  ：昇降軸
１４  ：ケース
１５  ：吊り上げモーター
１６  ：吊り上げ軸
１７  ：吊り上げプーリー
１８  ：チルトドラム
１９  ：エンコーダ
２０  ：ブラインド制御部
２１  ：通信端子
Ｐ    ：連結部
【図１】
2020066837.tif 000003
【図２】
2020066837.tif 000004
【図３】
2020066837.tif 000005
【図４】
2020066837.tif 000006
【図５】
2020066837.tif 000007
【図６】
2020066837.tif 000008
【図７】
2020066837.tif 000009
【図８】
2020066837.tif 000010
【図９】
2020066837.tif 000011
【図１０】
2020066837.tif 000012